(57)【要約】  本発明は、パーソナルメディアコンテンツを提示するとき、ユーザにより魅力的な体感を生じさせるため、パーソナルメディアコンテンツと付加的なコンテンツを合成することを可能にする。従って、本発明は、第１メディアファイルのユーザ選択を取得し（ステップ２０２）、メディアファイルソースのユーザ選択を取得し（ステップ２０８）、第１メディアファイルのコンテンツ関連データとメディアファイルソースからの少なくとも１つの第２メディアファイルのコンテンツ関連データとをマッチングし（ステップ２１４）、少なくとも第１メディアファイルのコンテンツ関連データに関する少なくとも１つのユーザ問い合わせを生成し（ステップ２１６）、第１メディアファイルと少なくとも１つの第２メディアファイルとに基づき、少なくとも１つの生成されたユーザ問い合わせを有するマルチメディアプレゼンテーションを生成する（ステップ２１８）を有するマルチメディアプレゼンテーション生成方法及び装置に関する。
2008529337.tif 000002
【特許請求の範囲】
【請求項１】
マルチメディアプレゼンテーションを生成する方法であって、
第１メディアファイルのユーザ選択を取得するステップと、
メディアファイルソースのユーザ選択を取得するステップと、
前記第１メディアファイルのコンテンツ関連データと、前記メディアファイルソースからの少なくとも１つの第２メディアファイルのコンテンツ関連データとをマッチングするステップと、
少なくとも前記第１メディアファイルのコンテンツ関連データに関する少なくとも１つのユーザ問い合わせを生成するステップと、
前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップと、
を有する方法。
【請求項２】
前記少なくとも１つの生成されたユーザ問い合わせを含む前記マルチメディアプレゼンテーションをユーザに提示するステップをさらに有し、
該ステップは前記少なくとも１つのユーザ問い合わせに関するユーザ入力を受け付けるステップを有するステップと、前記少なくとも１つのユーザ問い合わせに関する前記受け付けたユーザ入力に応じて提示される前記マルチメディアプレゼンテーションを更新するステップとを有する、請求項１記載の方法。
【請求項３】
前記第１メディアファイルのコンテンツ関連データを取得するステップをさらに有する、請求項１記載の方法。
【請求項４】
前記第１メディアファイルのコンテンツ関連データを取得するステップは、メディアファイルプロパティ関連データを取得するステップを有する、請求項３記載の方法。
【請求項５】
少なくとも１つのフィルタリング基準を取得するステップをさらに有し、
前記コンテンツ関連データをマッチングするステップはさらに、前記取得した少なくとも１つのフィルタリング基準を利用して、前記少なくとも１つの第２メディアファイルをフィルタリングするステップを有する、請求項１記載の方法。
【請求項６】
前記ユーザからコンテンツ関連データを受け付けるステップをさらに有する、請求項１記載の方法。
【請求項７】
前記コンテンツ関連データをマッチングするステップは、前記第１メディアファイルのコンテンツ関連データ及び前記ユーザから受け付けたコンテンツ関連データを、前記メディアファイルソースからの前記少なくとも１つの第２メディアファイルのコンテンツ関連データとマッチングするステップを有する、請求項６記載の方法。
【請求項８】
前記少なくとも１つのユーザ問い合わせを生成するステップはさらに、前記ユーザから受け付けたコンテンツ関連データに関する少なくとも１つのユーザ問い合わせを生成するステップを有する、請求項６記載の方法。
【請求項９】
前記ユーザからコンテンツ関連データを受け付けるステップは、メタデータを受け付けるステップを有する、請求項６記載の方法。
【請求項１０】
前記ユーザからコンテンツ関連データを受け付けるステップは、注釈データを受け付けるステップを有する、請求項６記載の方法。
【請求項１１】
マルチメディアプレゼンテーションを生成するマルチメディアプレゼンテーション生成装置であって、
ユーザから入力を取得するよう構成されるユーザ入力インタフェースと、
第１メディアファイルのコンテンツ関連データと少なくとも１つの第２メディアファイルのコンテンツ関連データとをマッチングするよう構成されるマッチングユニットと、
メディアファイルのコンテンツ関連データに関する少なくとも１つのユーザ関連問い合わせを生成するよう構成されるユーザ問い合わせ生成ユニットと、
前記マッチングユニットと前記ユーザ問い合わせ生成ユニットとに接続され、前記第１メディアファイル、前記少なくとも１つの第２メディアファイル及び少なくとも前記第１メディアファイルのコンテンツ関連データに基づき、マルチメディアプレゼンテーションを生成するよう構成されるマルチメディアプレゼンテーション生成ユニットと、
前記ユーザ入力インタフェースと、前記マッチングユニットと、前記マルチメディアプレゼンテーション生成ユニットと、前記ユーザ問い合わせ生成ユニットとに接続され、第１メディアファイルのユーザ選択を取得するステップと、メディアファイルソースのユーザ選択を取得するステップと、前記第１メディアファイルのコンテンツ関連データと、前記メディアファイルソースからの少なくとも１つの第２メディアファイルのコンテンツ関連データとをマッチングするステップと、少なくとも前記第１メディアファイルのコンテンツ関連データに関する少なくとも１つのユーザ問い合わせを生成するステップと、前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップとを制御するよう構成されるコントロールユニットと、
を有するマルチメディアプレゼンテーション生成装置。
【請求項１２】
当該装置は、マルチメディアプレゼンテーションユニットに接続可能である、請求項１１記載のマルチメディアプレゼンテーション生成装置。
【請求項１３】
当該装置は、少なくとも１つのメディアファイル配置ユニットに接続可能である、請求項１１記載のマルチメディアプレゼンテーション生成装置。
【請求項１４】
コンピュータプログラムコード手段を有するコンピュータプログラムであって、
前記コンピュータプログラムコード手段がマルチメディアプレゼンテーション生成装置又はコンピュータにロードされると、前記マルチメディアプレゼンテーション生成装置又は前記コンピュータに、
第１メディアファイルのユーザ選択を取得するステップと、
メディアファイルソースのユーザ選択を取得するステップと、
前記第１メディアファイルのコンテンツ関連データと、前記メディアファイルソースからの少なくとも１つの第２メディアファイルのコンテンツ関連データとをマッチングするステップと、
少なくとも前記第１メディアファイルのコンテンツ関連データに関する少なくとも１つのユーザ問い合わせを生成するステップと、
前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップと、
を実行させるコンピュータプログラム。
【請求項１５】
コンピュータプログラムコード手段を有するコンピュータプログラム要素であって、
前記コンピュータプログラムコード手段がマルチメディアプレゼンテーション生成装置又はコンピュータにロードされると、前記マルチメディアプレゼンテーション生成装置又は前記コンピュータに、
第１メディアファイルのユーザ選択を取得するステップと、
メディアファイルソースのユーザ選択を取得するステップと、
前記第１メディアファイルのコンテンツ関連データと、前記メディアファイルソースからの少なくとも１つの第２メディアファイルのコンテンツ関連データとをマッチングするステップと、
少なくとも前記第１メディアファイルのコンテンツ関連データに関する少なくとも１つのユーザ問い合わせを生成するステップと、
前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップと、
を実行させるコンピュータプログラム要素。
【発明の詳細な説明】
【技術分野】
【０００１】
本発明は、パーソナルコンテンツからのマルチメディアプレゼンテーションの生成に関する。
【背景技術】
【０００２】
各種電気製品に静止画像及び動画像カメラを含める最近の家電機器のトレンドは、ユーザが大量の写真及び映像を収集することが増えるという効果を有している。取得した写真コレクションを写真スライドなどのマルチメディアプレゼンテーションにより友人や親戚に表示することが、一般的になってきている。この進展に沿って、デジタルプレゼンテーション構成機能が、テレビ装置、セットトップボックスなどの多数の家電機器においてすでに必須なものとなっている。休暇の写真はときには、特に写真が撮影場所、休暇した期間、参加者及びそのすべてが起こった理由に関して、いくつかの質問しか述べない十分な情報を有していない場合、視聴することにうんざりさせるものとなる。古い写真を閲覧することは、参加者が関連し関心のある情報の高々一部しか記憶していない傾向があるため、特にうんざりさせるものとなる傾向がある。
【０００３】
情報の消失を回避する１つの方法は、例えば、写真が関連する情報と共に提示可能となるように、写真に注釈を付けるというものである。実際、多数のユーザが、例えば、休暇の写真のスライドショーを生成することによって、プレゼンテーションを充実させることを所望する。このようなスライドショーを生成することは、様々なスキルを必要とし、今日のツールにより必要とされる時間は大変大きなものとなっている。
【０００４】
インターネット、ＤＶＤコレクション、ケーブルテレビなどのマルチメディアコンテンツの多数のソースが大部分の消費者に現在利用可能であるため、プライベートな題材を充実させるための適切なマルチメディアコンテンツを見つけることは、現在の検索技術の下では大きなタスクとなる。
【０００５】
しかしながら、マルチメディアプレゼンテーションの手動による編集は、極めて面倒なものであり、時間がかかるものである。
【０００６】
Ｈａｎｅｄａによる特許文献ＵＳ６，２１１，９７４Ｂ１は、写真スライドショーを向上させるため、音声や映像などの付加的なコンテンツとユーザの写真を合成する写真スライドショーを記録する写真ラボラトリシステム及び方法を開示している。
【０００７】
Ｈａｎｅｄａによるシステムは、写真ラボラトリシステムであり、提示されるスライドショーを変更するのに使用されるよう設計されているものではない。
【発明の開示】
【発明が解決しようとする課題】
【０００８】
従って、インタラクティブなスライドショーの生成を可能にし、ユーザへのインタラクティブなスライドショーの提示を可能にする技術が必要とされる。
【０００９】
本発明は、独立クレームにより規定される。従属クレームは、本発明の効果的な実施例を規定する。
【００１０】
本発明は、一般にインタラクティブな非線形マルチメディアプレゼンテーションの提供に関する。
【００１１】
本発明は、パーソナルメディアコンテンツが提示されるとき、ユーザに対しより魅力的な体感を生じさせるため、パーソナルメディアコンテンツと付加的なコンテンツとを合成することを可能にする。
【課題を解決するための手段】
【００１２】
本発明の一課題は、リアルタイムにインタラクティブなマルチメディアプレゼンテーションを生成する方法を提供することである。
【００１３】
本発明の第１の特徴によると、上記課題は、マルチメディアプレゼンテーションを生成する方法であって、第１メディアファイルのユーザ選択を取得するステップと、メディアファイルソースのユーザ選択を取得するステップと、前記第１メディアファイルのコンテンツ関連データと、前記メディアファイルソースからの少なくとも１つの第２メディアファイルのコンテンツ関連データとをマッチングするステップと、少なくとも前記第１メディアファイルのコンテンツ関連データに関する少なくとも１つのユーザ問い合わせを生成するステップと、前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップとを有する方法により解決される。
【００１４】
本発明の他の課題は、リアルタイムにインタラクティブなマルチメディアプレゼンテーションを生成する装置を提供することである。
【００１５】
本発明の第２の特徴によると、上記課題は、マルチメディアプレゼンテーションを生成するマルチメディアプレゼンテーション生成装置であって、ユーザから入力を取得するよう構成されるユーザ入力インタフェースと、第１メディアファイルのコンテンツ関連データと少なくとも１つの第２メディアファイルのコンテンツ関連データとをマッチングするよう構成されるマッチングユニットと、メディアファイルのコンテンツ関連データに関する少なくとも１つのユーザ関連問い合わせを生成するよう構成されるユーザ問い合わせ生成ユニットと、前記マッチングユニットと前記ユーザ問い合わせ生成ユニットとに接続され、前記第１メディアファイル、前記少なくとも１つの第２メディアファイル及び少なくとも前記第１メディアファイルのコンテンツ関連データに基づき、マルチメディアプレゼンテーションを生成するよう構成されるマルチメディアプレゼンテーション生成ユニットと、前記ユーザ入力インタフェースと、前記マッチングユニットと、前記マルチメディアプレゼンテーション生成ユニットと、前記ユーザ問い合わせ生成ユニットとに接続され、第１メディアファイルのユーザ選択を取得するステップと、メディアファイルソースのユーザ選択を取得するステップと、前記第１メディアファイルのコンテンツ関連データと、前記メディアファイルソースからの少なくとも１つの第２メディアファイルのコンテンツ関連データとをマッチングするステップと、少なくとも前記第１メディアファイルのコンテンツ関連データに関する少なくとも１つのユーザ問い合わせを生成するステップと、前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップとを制御するよう構成されるコントロールユニットとを有するマルチメディアプレゼンテーション生成装置により解決される。
【００１６】
本発明のさらなる他の課題は、リアルタイムにインタラクティブなマルチメディアプレゼンテーションを生成するコンピュータプログラムプロダクトを提供することである。
【００１７】
本発明の第３の特徴によると、上記課題は、コンピュータプログラムコード手段を有するコンピュータプログラムであって、前記コンピュータプログラムコード手段がマルチメディアプレゼンテーション生成装置又はコンピュータにロードされると、前記マルチメディアプレゼンテーション生成装置又は前記コンピュータに、第１メディアファイルのユーザ選択を取得するステップと、メディアファイルソースのユーザ選択を取得するステップと、前記第１メディアファイルのコンテンツ関連データと、前記メディアファイルソースからの少なくとも１つの第２メディアファイルのコンテンツ関連データとをマッチングするステップと、少なくとも前記第１メディアファイルのコンテンツ関連データに関する少なくとも１つのユーザ問い合わせを生成するステップと、前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップとを実行させるコンピュータプログラムにより解決される。
【００１８】
本発明のさらなる他の特徴は、リアルタイムにインタラクティブなマルチメディアプレゼンテーションを生成するコンピュータプログラム要素を提供することである。
【００１９】
本発明の第４の特徴によると、上記課題は、コンピュータプログラムコード手段を有するコンピュータプログラム要素であって、前記コンピュータプログラムコード手段がマルチメディアプレゼンテーション生成装置又はコンピュータにロードされると、前記マルチメディアプレゼンテーション生成装置又は前記コンピュータに、第１メディアファイルのユーザ選択を取得するステップと、メディアファイルソースのユーザ選択を取得するステップと、前記第１メディアファイルのコンテンツ関連データと、前記メディアファイルソースからの少なくとも１つの第２メディアファイルのコンテンツ関連データとをマッチングするステップと、少なくとも前記第１メディアファイルのコンテンツ関連データに関する少なくとも１つのユーザ問い合わせを生成するステップと、前記マルチメディアプレゼンテーションの提示するとき、ユーザがより魅力的な体感を受け取ることができるように、前記第１メディアファイルと前記少なくとも１つの第２メディアファイルとに基づき、前記少なくとも１つの生成されたユーザ問い合わせを有する前記マルチメディアプレゼンテーションを生成するステップとを実行させるコンピュータプログラム要素を提供することである。
【発明の効果】
【００２０】
本発明は、以下の効果を有する。
【００２１】
本発明は、マルチメディアプレゼンテーションが提示されるとき、ユーザがより魅力的な体感を受け付けることができるように、ユーザがマルチメディアプレゼンテーションをインタラクティブに生成することを可能にするという効果を有する。さらなる効果は、本発明は、コンピュータスキルの低いユーザが高いインタラクティブ性を有するプレゼンテーションについて行くことができるように、大量のオーサリングインタラクティブプレゼンテーションを簡略化することである。さらに、ユーザのために選択を与え、メディアと情報を関連付けることによって、多くの時間を節約することを提供する。それは、ユーザが問い合わせに基づき、クリエイティブなインタラクティブプレゼンテーションを自動生成することを可能にする。さらに、そうでない場合には別にして保持されるマルチメディアコンテンツの再利用及び再用途化を可能にする。さらに、それはインタラクティブなプレゼンテーションのため予めパッケージ化されたコンテンツを販売するため、マルチメディアコンテンツのプロバイダに機会を提供するかもしれない。
【００２２】
請求項２は、ユーザ問い合わせを提示し、問い合わせに関するユーザ入力を受け付け、受け付けた入力に応じてプレゼンテーションを更新することに関する。当該請求項は、マルチメディアプレゼンテーションに対する回答が依存するユーザ問い合わせを提供する効果を有する。
【００２３】
請求項３は、第１メディアファイルのコンテンツ関連データを取得することに関する。
【００２４】
当該請求項は、コンテンツ関連データがマッチングステップにおいて利用可能であるため、効果的である。
【００２５】
請求項４は、メディアファイルプロパティ関連データを取得することに関する。これは、カラー構成、テクスチャ、形状、動き、音声特徴などが取得可能な効果をもたらす。
【００２６】
請求項５は、フィルタリング基準を適用することに関する。これは、一致する第２メディアファイルの個数がフィルタリング基準を使用しない場合には多すぎる可能性があるため、効果的である。
【００２７】
請求項６は、ユーザからコンテンツ関連データを受け付けることに関する。これはまた、利用可能なコンテンツ関連付けが充実される必要があるかもしれないため、効果的である。
【００２８】
請求項７は、コンテンツ関連データのマッチングに関する。
【００２９】
これは、ユーザから受け付けされるコンテンツ関連データが、コンテンツ関連データのマッチングステップにおいて利用されるため、効果的である。
【００３０】
請求項８は、ユーザから受け付けされるコンテンツ関連データに関する少なくとも１つのユーザ問い合わせを生成することに関する。
【００３１】
これはまた、ユーザがユーザ問い合わせとマルチメディアプレゼンテーションに影響を与える可能性があるため、効果的である。
【００３２】
請求項９及び１０は、ユーザからメタデータと注釈データをそれぞれ有するコンテンツ関連データを受け付けることに関する。その効果は、ユーザがマルチメディアプレゼンテーションにおいて容易に利用可能なデータを入力可能であるということである。
【００３３】
請求項１２及び１３は、マルチメディアプレゼンテーション生成装置をそれぞれ外部マルチメディアプレゼンテーションユニットとメディアファイル配置ユニットに接続する可能性に関する。
【００３４】
外部プレゼンテーションユニットにプレゼンテーションを表示することが効果的である。また、インターネットに接続されるアクセス可能なサーバなど、外部サーバ内の情報を検索することが大いに効果的であるかもしれない。本発明の要旨は、リアルタイムにマルチメディアプレゼンテーションを生成するため、コントロールデータとしてユーザ入力を利用することである。
【００３５】
本発明の上記及び他の特徴は、後述される実施例から明らかになるであろう。
【発明を実施するための最良の形態】
【００３６】
本発明は、パーソナルメディアコンテンツが提示されるとき、ユーザに対しより魅力的な経験を生成するため、パーソナルメディアコンテンツと付加的なコンテンツとを合成することを可能にする。
【００３７】
休暇などからの写真は、一定時間経過後に閲覧することはうんざりさせるものとなるかもしれない。固定されたプレゼンテーションモードを利用して、次々とスライドを表示することは、スライドが提示される閲覧者に退屈させる効果を有するかもしれない。
【００３８】
スライドショーの手作業による編集は、面倒なものである。マルチメディアプレゼンテーションの手作業による編集は、極めて面倒なものであり、実際的に可能である場合でも、平均的なユーザにとってかなりの時間がかかる。
【００３９】
スライドショー又はマルチメディアプレゼンテーションを充実させることは、大きなタスクであり、現在の技術を使って各種スキルを必要とする。
【００４０】
本発明は、本発明の一実施例による写真セット、映像記録、音声記録又はそれらの何れかの組み合わせなどのパーソナルメディアコンテンツのマルチメディアプレゼンテーションの生成に関する。プレゼンテーションの基礎となるグラフィックファイル、テキストファイル、スプレッドシートなどの他のタイプのメディアファイルがまた、本発明の他の実施例により可視化されるかもしれない。写真の提示、映像記録又は音声記録はまた一定時間経過後には視聴者の関心は限られたものとなっているため、スライドショーなどのマルチメディアプレゼンテーションを充実させるための可能性が検討されてきた。
【００４１】
本発明の背景にある１つのアイディアは、例えば、サーバ、写真アルバム、ＤＶＤから又はインターネットなどのネットワークを介し利用可能であって、写真セットに構成されるようなコンテンツとのコンテンツ類似性又はコンテンツ関連データ類似性を有するメディア情報と写真セットとを合成することである。
【００４２】
一致するメディアファイルが検索される領域を限定することによって、一致結果の個数は劇的に低減する。インターネットをメディアファイル位置として指定するとき、多すぎる一致するメディアファイルを受信することを回避するため、付加的な情報が所望される。
【００４３】
本発明の範囲内では、メタデータや注釈データなどのコンテンツ関連データが、メディアファイル間の類似性を検出するのに利用可能である。メディアファイルメタデータは、典型的には、写真又は映像が取得された日時及び方法に関する情報を含むものであってもよい。メディアファイルが取得された場所並びに誰により及び誰に写真が提示されるかもしれないかに関する情報がまた、メタデータに構成されてもよい。
【００４４】
本発明の背後にある他のアイディアは、本ケースでは写真セットである第１メディアファイルから利用可能なメタデータを利用することであり、任意的には、ユーザにより追加された付加的なメタデータを利用することであり、メタデータが任意的にユーザにより追加されたメタデータを含む写真セットのメタデータに一致するメタデータを有するメディアファイルを検索する。
【００４５】
例えば、１つの写真がロンドンで取得された場合、ロンドンは、当該写真のメタデータとして利用可能となる可能性が最も高い。メタデータのマッチングを実行することは、メタデータとしてロンドンを有するメディアファイルを検索することを有するであろう。
【００４６】
上述されるように、また以下で例示されるように、１以上のフィルタリング基準を含めることが、一致するヒット数を制限する１つの方法であり、これにより、妥当な個数の一致のみが受け付けされる。
【００４７】
メディアデータは１つのタイプのコンテンツ関連データであるということに留意すべきである。このコンテンツ関連データは、あるいは又は加えて、メディアファイルに関連付けされる可能性のある注釈を有するかもしれない。コンテンツ関連データはまた、写真のカラー構成が単なる一例であるが、カラー構成データ、テクスチャデータ、形状関連データ、エッジ関連データ、動きデータ及び音声特徴データなどのプロパティ関連データを有するかもしれない。このような情報はまた、一致するメディアファイルの検索に利用可能である。
【００４８】
カラー構成データの一例は、構成されるカラーとそれら各自の全体的な強度を示す画像ヒストグラムであり、この画像ヒストグラムは、当該技術におけるスキルを有する人に周知である。形状関連データは、写真などにあるオブジェクトの形状に関するデータであるかもしれない。また、顔などの特定のオブジェクトの存在に関するデータがまた利用可能である。
【００４９】
ユーザに提示されるようなスライドショー又はマルチメディアプレゼンテーションの様相を向上させるため、いくつかの質問又はユーザ問い合わせが、写真のメタデータに基づく装置によって、また他のコンテンツ関連データによって生成されてもよい。このため、ユーザには、スライドショーに構成されるような写真に関するいくつかの質問が提示されるかもしれない。あるいは、これらの質問は一致したメディアファイルからのメタデータに関するものであってもよい。頻繁に尋ねられる質問は、“誰”、“何”、“いつ”及び“どこ”に関する質問を有する。例えば、誰が写真にいるか、他の重要なオブジェクト又は建物は何か、その写真は何時、およそ何れの日及び何れの場所で撮影されたかなどである。これらの質問又はユーザ問い合わせは、マルチメディアプレゼンテーションのプレゼンテーション中にユーザに提示される。ユーザ入力、すなわち、ユーザ問い合わせに対する回答を受け取ると、提示されているマルチメディアプレゼンテーションは、装置により受信されるような、またユーザにより与えられるような回答に応じてリアルタイムに更新される。
【００５０】
従って、マルチメディアプレゼンテーションは、インタラクティブであり、受け取ったユーザ入力、すなわち、ユーザ問い合わせに対する回答をプレゼンテーションするとき、考慮される。
【００５１】
マルチメディアプレゼンテーションは、装置により受信されるような回答に依存する。
【００５２】
ユーザに転送されるユーザ問い合わせを生成することとは別に、一致したメディアファイルから取得されるような付加的なメディアコンテンツ、すなわち、本ケースでは写真セットがプレゼンテーションに追加されるかもしれない。これらの写真はまた、本発明の他の実施例によると、一致するメディアファイルを利用することによって変更されるかもしれない。ユーザ又は幾人かのユーザに提示されるとき、写真のセットの様相を向上させるための各種可能性がある。
【００５３】
本発明の一実施例によるマルチメディアプレゼンテーション生成装置を有するマルチメディアプレゼンテーション生成システムを示す図１を参照して、本発明がより詳細に説明される。
【００５４】
本発明の一実施例によると、マルチメディアプレゼンテーション生成装置１００は、キーパッド、ボタンセット、タッチ画面などのユーザ入力インタフェース１０２を有する。このユーザ入力インタフェース１０２を操作することによって、マルチメディアプレゼンテーション生成装置１００は、ユーザ入力を受け付けるかもしれない。本発明の一実施例によると、マルチメディアプレゼンテーション生成装置１００はさらに、コントロールユニット１０４、ユーザ問い合わせ生成ユニット１０６、マルチメディアプレゼンテーション生成ユニット１０８及びマッチングユニット１１０を有する。マルチメディアプレゼンテーション生成装置１００はまた、ネットワーク１１６を介しマルチメディアプレゼンテーションレンダリングユニット１２０、第１メディア配置ユニット１１２、第２メディア配置ユニット１１４及びリモートメディア配置ユニット１１８と接続されるかもしれない。マルチメディアプレゼンテーション生成装置１００はより多くのユニットに接続されてもよく、また他のユニットに接続されてもよいということは明らかである。図１に表示される外部ユニットは、本発明によるマルチメディアプレゼンテーション生成装置に接続可能な外部ユニットの具体例を可視化することである。
【００５５】
マルチメディアプレゼンテーション生成装置１００の内部では、本発明の一実施例によると、コントロールユニット１０４がユーザ入力ユニット１０２、ユーザ問い合わせ生成ユニット１０６、マルチメディアプレゼンテーション生成ユニット１０８及びマッチングユニット１１０に接続される。マルチメディアプレゼンテーション生成ユニット１０８はさらに、ユーザ問い合わせ生成ユニット１０６とマッチングユニット１１０に接続される。
【００５６】
マルチメディアプレゼンテーションレンダリングユニット１２０は、マルチメディアプレゼンテーション生成装置１００のマルチメディアプレゼンテーション生成ユニット１０８とコントロールユニット１０４に接続される。第１メディアファイル配置ユニット１１２、第２メディアファイル配置ユニット１１４、ネットワーク１１６などの外部ユニット及びネットワークが、本発明の一実施例によるマルチメディアプレゼンテーション生成装置１００のコントロールユニット１０４に接続される。
【００５７】
言うまでもなく、マルチメディアプレゼンテーション生成装置１００内のユニットを互いに接続し、さらに外部ユニットを内部ユニットと接続する他の方法及び可能性が存在する。このような方法及び可能性は、本発明の他の実施例の内部で実現されてもよい。さらに、マルチメディアプレゼンテーション生成装置１００はさらに、メタデータ、注釈データ、又は他のタイプのデータなどのコンテンツ関連データの明示的な格納を可能にするメモリユニットなどのさらなるユニットを有するかもしれない。
【００５８】
本発明の一実施例によるマルチメディアプレゼンテーションを生成する方法のフローチャートと、マルチメディアプレゼンテーションを生成する方法の内部に構成される各ステップの短いタスク記述をそれぞれ提示する図２及びテーブル１を参照することによって、マルチメディアプレゼンテーションを生成する方法がより詳細に説明される。
【００５９】
本発明の一実施例によると、本方法は、ステップ２０２における第１メディアファイルのユーザ選択を取得するステップからスタートする。写真セットは、第１メディアファイルの単なる一例である。第１メディアファイルは、映像と音声の両方のコンテンツ若しくは音声ファイルのみを有する記録であってもよく、テキストを有する１以上の段落を含むものであってもよく、又はそれらの組み合わせであってもよい。第１メディアファイルは、単にマルチメディアプレゼンテーション生成装置１００のユーザが少なくとも部分的にマルチメディアプレゼンテーションを基づかせようとするファイルである。このため、第１メディアファイルが各種プロパティ及びコンテンツを有することが可能であるということを想像することは容易である。
【００６０】
【表１】
2008529337.tif 000003
テーブル１は、本発明の一実施例によるマルチメディアプレゼンテーションを生成する方法に構成されるステップの短いタスク記載を示す。第１メディアファイルのユーザ選択を取得するステップによって、装置は上述されるようなキーボードなどのユーザ入力ユニットであるかもしれないユーザ入力インタフェース１０２を介しユーザ選択を取得する。
【００６１】
本ケースでは、写真セットのユーザ選択を受け付けると、以降のステップは、ステップ２０４の第１メディアファイルのコンテンツ関連データを取得するステップである。このケースでは、写真セットのメタデータの取得は、第１メディアファイルのコンテンツ関連データを取得する一例である。装置は、当該セットのメタデータを取得することによって、写真セットに関する情報を受け取る。このステップ内で、装置は受け取った写真からメタデータを読み取ってもよく、あるいは第１メディアファイル配置ユニット１１２などのデータを受け取るマルチメディアプレゼンテーション生成装置１００の外部からメタデータを読み取るようにしてもよい。
【００６２】
本発明の他の実施例によると、マルチメディアプレゼンテーションを生成する方法は、注釈データを取得するステップを有し、当該注釈データは、上述されたメタデータに加えてコンテンツ関連データの他の例である。
【００６３】
本発明の他の実施例によると、マルチメディアプレゼンテーションを生成する方法は、コンテンツ関連データの１つのタイプであるプロパティ関連データを取得するステップを有する。上述されたように、このようなプロパティ関連データは、カラー構成データ、テクスチャデータ、形状関連データ、エッジ関連データ、動きデータ及び音声特徴データを有するかもしれない。
【００６４】
一実施例によるマルチメディアプレゼンテーションを生成する方法の次のステップは、ステップ２０６におけるユーザからコンテンツ関連データを受け取るステップである。この場合、コンテンツ関連データはユーザから受け取ったメタデータにより例示される。このステップ内において、マルチメディアプレゼンテーション生成装置のユーザは、マルチメディアプレゼンテーション生成装置１００のコントロールユニット１０４にメタデータなどの入力を挿入、タイプ、転送などを行う。受け取ったメタデータは、本ケースでは写真セットである第１メディアファイルに関連するメタデータであるかもしれない。
【００６５】
例えば、メタデータのデータ量が小さい場合、誰が写真に表示されているか、人々からどこをソースとするか、写真撮影後人々がどこに行ったかなどに関する付加的なメタデータがユーザにより追加されるかもしれない。また、ユーザが本ケースでは写真に合成することを所望するが、当該特徴が写真にないかもしれない特徴又は写真を提示することに関して言及する価値があるとユーザが考える付加的情報が追加されてもよい。以降のステップでは、このような付加的情報を含むデータを検出する方法が説明される。
【００６６】
ステップ２０６においてユーザからコンテンツ関連データを受け取ると、インターネットなどのメディアファイルソースのユーザ選択を取得するステップは、ステップ２０８に続く。このステップでは、ユーザはマルチメディアプレゼンテーション生成装置１００がメディアファイルをどこから検索しているか選択している。ユーザは、何れかのフォルダにおいて、何れかのネットワークを介し、何れかの写真アルバムにおいて、又は何れかのＤＶＤにおいて、メディアファイルが検索されるべきか指定するかもしれない。マルチメディアプレゼンテーションを生成する方法の当該ステップにおいて、マルチメディアプレゼンテーション生成装置１００は、ユーザ入力インタフェース１０２からユーザ入力を受け取る。
【００６７】
何れのメディアファイルソースにおいてメディアファイルが検索されるユーザ選択を取得した後に、ステップ２１０において、少なくとも１つのフィルタリング基準を取得するステップが次に続く。このステップにおいて、ユーザは検索するメディアファイルのタイプ又はカテゴリを指定するかもしれない。例えば、検索又はマッチングはマンガ、ディズニー映画、お気に入りの監督の映画、マトリックの映画、動物の映画などに制限されるかもしれない。１以上のフィルタリング基準を設定することによって、第１メディアファイルからのメタデータに一致するか、又はユーザにより追加されるメディアファイルの個数は低減する。これは、一致する個数がそうでない場合には多すぎるとわかっているため、効果的であるとわかるかもしれない。
【００６８】
フィルタリング基準を規定すると、当該基準は、ステップ２１２において取得したフィルタリング基準を利用して少なくとも１つの第２メディアファイルをフィルタリングするステップにおいて利用される。これは、フィルタリング基準をメディアファイルソースのメディアファイルに適用することによって実行されるかもしれない。フィルタリング基準を充足するメディアファイルのみが、当該基準をパスすることが可能であり、これにより、以降のステップにおいて検索されるファイル数を低減することが可能である。
【００６９】
ここで、メディアファイルを検索する場所に関する情報と共に、第１メディアファイルのコンテンツ関連データとユーザにより受け取られるような任意的なコンテンツ関連データを取得すると、ユーザから受け付けたメタデータと第１メディアファイルのコンテンツ関連データと、メディアファイルソースからの少なくとも１つの第２メディアファイルのコンテンツ関連データとをマッチングさせるステップが、ステップ２１４において実行される。写真セットが第１メディアファイルである本ケースでは、ユーザから受け付けたメタデータと写真セットからのメタデータが、マルチメディアプレゼンテーション生成装置１００により受け付けされ、またはユーザにより選択されるメディアファイルソースからの少なくとも１つの第２メディアファイルからのメタデータとマッチングされる。
【００７０】
本発明の他の実施例によると、メタデータの代わりに又はそれに加えて、注釈データが利用可能であり、注釈データは上述されるメディアファイルのコンテンツ関連データの他の例である。あるいは、メディアファイルプロパティ関連データが、メタデータ及び／又は注釈データの代わりに、又はそれに加えて利用されてもよい。
【００７１】
コンテンツ関連データをマッチングする当該ステップは、コントロールユニット１０４の制御の下でマルチメディアプレゼンテーション生成装置１００のマッチングユニット１１０により実行される。コントロールユニット１０４は、ステップ２０８においてユーザにより選択されるメディアファイルソースに接続され、そこから、マッチングユニットは、ステップ２０６においてユーザから受け付けたコンテンツ関連データ又は第１メディアファイルのコンテンツ関連データに一致するコンテンツ関連データを有するメディアファイルを検索する。
【００７２】
本発明の他の実施例によると、ステップ２１２において取得した少なくとも１つのフィルタリング基準を利用して少なくとも１つの第２メディアファイルをフィルタリングするステップが、ステップ２１４のコンテンツ関連データをマッチングするステップに構成される。
【００７３】
ステップ２１４のマッチングステップの後に、マルチメディアプレゼンテーションを生成する方法のステップ２１６において、一致したコンテンツ関連データに関する少なくとも１つのユーザ問い合わせを生成するステップが実行される。このステップにおいて、本方法は、マルチメディアプレゼンテーション１００を生成する装置のユーザに転送される質問やユーザ問い合わせなどのユーザ問い合わせを自動生成する。これらの質問は、メタデータ又は注釈データとして第１メディアファイル、すなわち、本ケースでは写真セットに存在するような情報に関するものであるかもしれず、又はステップ２０６においてユーザにより追加されるような他のコンテンツ関連データに関するものであるかもしれない。しかしながら、これらの質問はまた、少なくとも１つの第２メディアファイルに存在する追加的なコンテンツ関連データに関するものであってもよく、当該コンテンツ関連データは、第１メディアファイルを提示するものでなく、またマルチメディアプレゼンテーション生成装置１００のユーザにより受け付けされるものでもない。
【００７４】
少なくとも１つのユーザ問い合わせを生成する当該ステップは、コントロールユニット１０４の制御の下でマルチメディアプレゼンテーション生成装置１００のユーザ問い合わせ生成ユニット１０６により実行される。このため、ユーザ問い合わせ生成ユニット１０６は、コントロールユニット１０４に接続される。マッチングユニット１１０がコントロールユニット１０４に接続されるとき、コントロールユニット１０４に接続されるユーザ問い合わせ生成ユニット１０６は、ユーザにユーザ問い合わせを提示するため、マッチングユニット１１０からユーザ問い合わせ情報を受け付けることができる。
【００７５】
マルチメディアプレゼンテーションを生成する方法の次のステップは、ステップ２１６及び２１８において生成されるような少なくとも１つのユーザ問い合わせを含む第１メディアファイルと少なくとも１つの第２メディアファイルとに基づきマルチメディアプレゼンテーションを生成するステップである。マルチメディアプレゼンテーションは、第１メディアファイル、第１メディアファイルのコンテンツ関連データに一致するコンテンツ関連データを有する少なくとも１つの第２メディアファイル、又はおそらくユーザから受け付ける付加的情報から生成される。本ステップで生成されるマルチメディアプレゼンテーションは、少なくとも１つの生成されたユーザ問い合わせを有する。
【００７６】
マルチメディアプレゼンテーション生成装置１００の内部において、マルチメディアプレゼンテーション生成ユニット１０８は、コントロールユニット１０４の制御の下でマルチメディアプレゼンテーションを生成する。マルチメディアプレゼンテーション生成装置１００を含むマルチメディアプレゼンテーションシステムを概略的に示す図１に示されるように、本発明の一実施例によると、マルチメディアプレゼンテーション生成ユニット１０８は、マッチングユニット１１０、ユーザ問い合わせ生成ユニット１０６及びコントロールユニット１０４に接続されるかもしれないということが示される。
【００７７】
マルチメディアプレゼンテーション生成ユニット１０８は、マッチングユニット１１０とユーザ問い合わせ生成ユニット１０６の情報にアクセス可能である。ステップ２１８においてマルチメディアプレゼンテーションを生成した後、マルチメディアプレゼンテーションを提示するステップがステップ２２０に続く。プレゼンテーションは、マルチメディアプレゼンテーションレンダリングユニット１２２によりユーザに提示されてもよい。本発明の一実施例によると、マルチメディアプレゼンテーションレンダリングユニット１２２により提示されるマルチメディアプレゼンテーションは、音声及び映像情報を利用することによって提示されてもよい。
【００７８】
他の実施例によると、マルチメディアプレゼンテーションは、専用のメディアプレゼンテーションレンダリングユニットを使用することによって提示され、当該メディアプレゼンテーションユニットは、音声情報のみを提示するよう設計されている。このような専用のメディアプレゼンテーションレンダリングユニットは、盲目のユーザへの様相を向上させるため、映像情報を音声情報に変換する機能を有するようにしてもよい。また、他の実施例によると、マルチメディアプレゼンテーションは、耳の不自由なユーザに対するマルチメディアプレゼンテーションのより魅力的な体感を生成するため、専用の映像プレゼンテーションレンダリングユニットを利用することによって提示されてもよい。このような装置は、同様に音声情報を映像データに変換するかもしれない。言うまでもなく、マルチメディアプレゼンテーションは、盲目のユーザと耳の不自由なユーザの両者に提示されてもよい。
【００７９】
マルチメディアプレゼンテーション生成装置１００がユーザに提示されるユーザ問い合わせに対する回答として、ユーザ入力を受け付けしない場合、装置はこれをユーザがもはやいないと認識し、ステップ２２６においてマルチメディアプレゼンテーションを生成する方法を終了する。
【００８０】
このステップにおいて、コントロールユニット１０４は、典型的にはマルチメディアプレゼンテーション生成装置１００をオフにし、その後、画面若しくはラウドスピーカー又はそれらの組み合わせを有するかもしれないマルチメディアプレゼンテーションレンダリングユニット１２２がオフにされる。本発明の他の実施例によると、マルチメディアプレゼンテーション生成装置は、例えば、数十秒間などの一定時間にユーザから入力を受け付けしなくても、少なくとも第１メディアファイルに基づくプレゼンテーションを提示し続ける。マルチメディアプレゼンテーション装置は、提示されるプレゼンテーション内の以降のアイテムに対するプレゼンテーションに移行する。
【００８１】
しかしながら、コントロールユニット１０４が、ステップ２２０においてマルチメディアプレゼンテーションの提示をスタートした後、少なくとも１つのユーザ問い合わせに関するユーザ入力を受け付けるステップにおいてユーザ入力インタフェース１１２を介しユーザ入力を受け付けた場合、マルチメディアプレゼンテーションはこの段階では終了しない。少なくとも１つのユーザ問い合わせに対するユーザの回答を受け付けた後、ステップ２２４において少なくとも１つのユーザ問い合わせに関する受け付けたユーザ入力に応じて提示されるマルチメディアプレゼンテーションを更新するステップが実行される。
【００８２】
マルチメディアプレゼンテーションを更新する当該ステップにおいて、プレゼンテーションは、本発明の一実施例によりリアルタイムに更新される。可能性のある又は考えられる適切な又は誤った多数の回答からの回答に応じてリアルタイムにプレゼンテーションを更新することによって、インタラクティブな非線形マルチメディアプレゼンテーションがユーザに提供される。ステップ２２４においてユーザ入力を受け付けた直後に、ユーザが更新されたプレゼンテーションを享受することができるように、マルチメディアプレゼンテーションがマルチメディアプレゼンテーションレンダリングユニット１２２を介しユーザに提示される。
【００８３】
マルチメディアプレゼンテーション生成装置１００が、少なくとも１つのユーザ問い合わせに関するユーザ入力を受け付けるステップ２２２において、ユーザ問い合わせに対する回答としてより多くのユーザ入力を受け付ける場合、マルチメディアプレゼンテーションを更新するステップがステップ２２４において実行される。マルチメディアプレゼンテーションを再び更新した後、更新されたプレゼンテーションが、マルチメディアプレゼンテーションレンダリングユニット１２２を使用することによってユーザに提示される。
【００８４】
プレゼンテーションレンダリングユニット１２２は、第１メディアファイルから又は少なくとも１つの第２メディアファイルから利用可能な情報がある限り、このようにマルチメディアメディアプレゼンテーションを提示し続ける。この情報は、関連するコンテンツ関連データを有するかもしれない。
【００８５】
しかしながら、マルチメディアプレゼンテーション生成装置１００によって、少なくとも１つのユーザ問い合わせに対する回答としてユーザ入力が受け付けされていない場合、マルチメディアプレゼンテーション生成方法は、ステップ２２６においてコントロールユニット１０４により終了される。図３は、本発明の一実施例によるコンピュータプログラムプロダクト３２を提供する。このコンピュータプログラムプロダクトは、当該コンピュータプログラムプロダクトがコンピュータ又はマルチメディアプレゼンテーション生成装置にロードされると、コンピュータ又はマルチメディアプレゼンテーション生成装置に第１メディアファイルのユーザ選択を取得させ、メディアファイルソースのユーザ選択を取得させ、第１メディアファイルのコンテンツ関連データとメディアファイルソースからの少なくとも１つの第２メディアファイルのユーザコンテンツ関連データとをマッチングさせ、少なくとも第１メディアファイルのコンテンツ関連データに関する少なくとも１つのユーザ問い合わせを生成させ、第１メディアファイルと少なくとも１つの第２メディアファイルとに基づきマルチメディアプレゼンテーションを生成させるコンピュータ可読媒体を有し、当該マルチメディアプレゼンテーションは、ユーザがマルチメディアプレゼンテーションを提示されると、より魅力的な体感を受け付けるように、少なくとも１つの生成されたユーザ問い合わせを有する。
【００８６】
コンピュータプログラムプロダクトは、本発明の一実施例によるとＣＤ−ＲＯＭディスクとして提供されるかもしれない。しかしながら、コンピュータプログラムプロダクトは、あるいはＤＶＤディスク、ハードディスク、ＭＤディスクなどの他のタイプのディスク上に設けられ、又はメモリ若しくは他の記憶媒体に設けられてもよく、又はネットワークからダウンロードされてもよい。
【００８７】
本発明は、例えばより多くの方法に変更可能である。
【００８８】
マルチメディアプレゼンテーションを生成する方法は、本発明による他の実施例による第１ファイルにおいて利用可能なメディアコンテンツが新規の一致したコンテンツにより変更又は追加されるべきか否かについてユーザ入力を受け付けるステップを有するようにしてもよい。
【００８９】
本発明のさらなる他の実施例によると、マルチメディアプレゼンテーションを生成する方法は、プレゼンテーションプロパティのいくつかの例を述べると、プレゼンテーションのスタイル、テーマ、機会などのマルチメディアプレゼンテーションプロパティのユーザ選択を受け付けるステップを有する。
【００９０】
本発明の他の実施例によると、様々な場所にいる複数のユーザが、ユーザとしてマルチメディアプレゼンテーション１００を生成する１以上の装置に接続されるようにしてもよい。
【００９１】
本発明のさらなる他の実施例によると、ユーザ入力インタフェースは、マルチメディアプレゼンテーション生成装置に接続される複数のユーザ入力を有し、この複数のユーザ入力ユニットを利用して、複数のユーザにマルチメディアプレゼンテーションが提示されるかもしれない。
【００９２】
本発明の他の実施例によると、少なくとも１つのユーザ入力ユニットと１つの情報プレゼンテーションユニットは、インターネットなどのネットワークを介しマルチメディアプレゼンテーション生成装置に接続されるかもしれない。
【００９３】
本発明のさらなる他の実施例によると、少なくとも２つのマルチメディアプレゼンテーション生成装置１００は、インターネットなどのネットワークを介し又は直接的に互いに接続されてもよい。第１装置のユーザは、第２装置にユーザ入力を与える権限を有するかもしれず、当該装置は、ユーザが第２マルチメディアプレゼンテーション生成装置によって生成されるマルチメディアプレゼンテーションに影響を与えることができるように、ネットワークを介し第１装置に接続されてもよい。同様に、第２装置のユーザは、マルチメディアプレゼンテーションを生成するため第１装置によって生成されるマルチメディアプレゼンテーションに影響を与えるかもしれない。
【００９４】
本発明のさらなる他の実施例によると、マルチメディアプレゼンテーションは、すべての年齢に対して学習のため利用可能である。なぜなら、本方法及び装置の設計は、ユーザが生成されるユーザ問い合わせを含むマルチメディアプレゼンテーションの生成に使用されるコンテンツ関連データを設定することを可能にするためである。
【００９５】
本発明による装置は、例えば、おそらくインターネットなどのネットワークを介しマルチメディアプレゼンテーションを生成する第２装置に接続され、それにより制御されるとき、ｅラーニング目的に良好に機能するであろう。マルチメディアプレゼンテーションを生成する装置はまた、「写真に何人いるかカウントしてください？」、「黄色いシャツはいくつありますか？」などのユーザ問い合わせを転送する数学インタラクティブプレゼンテーションとなるよう設計されるかもしれない。このタイプの質問は、当業者に周知なマルチメディアコンテンツ解析技術を利用することによって予め設定可能である。「この写真には何人の人がいますか？」の質問には、顔検出が利用可能である。子供に対して「Ｘはいくつ？」などの異なるタイプのインタラクティブマルチメディア質問において、オブジェクト検出アルゴリズムを利用することによりＸが決定可能である。オブジェクト検出アルゴリズムは、明確な形状を有する建物、ボール、クルマ及びオブジェクトを検出することが可能である。また、写真の中の人々の名前が、オンライン顔認識アルゴリズムを有するオンライン顔認識技術を利用し、例えば、ある人のいくつかの例を与えることによって顔と名前とを関連付けることにより割り当てられてもよい。このような顔認識技術は、当業者に周知である。“類似（ｓｉｍｉｌａｒ−ｔｏ）”などのインタラクティブプレゼンテーションがまた、ユーザ写真に見つけられる顔モデルが有名人の顔モデルと比較される位置を自動的に設定することが可能である。任意の顔認識技術が、この目的のため利用可能である。言うまでもなく、このような顔認識技術は、当業者に周知であり、ここではさらには説明されない。
【００９６】
本発明の各種の他の実施例によると、顔の各サイドに関するユーザ問い合わせを転送することによって、人の顔の左側と右側の一致などの他のより多くのタイプのゲーミングに装置が利用可能である。このタイプの他の実施例は、子供が視覚的に隠れた、又は訓練されていない目では検出困難なオブジェクトを探るよう求められる子供用の「私は、・・・を探っている。」というインタラクティブなプレゼンテーションとすることが可能である。ここでは、重ね合わされたグラフィックス、テキスト又は写真の一部が利用可能である。これらの「私は、・・・を探っている。」というインタラクティブプレゼンテーションでは、アルゴリズムはグラフィック及びオブジェクトを画像が高テクスチャ領域を有するエリアに埋め込むかもしれない。高テクスチャ領域は、テクスチャセグメント化アルゴリズム又はテクスチャ計算アルゴリズムを使用して計算可能である。
【００９７】
大人用のゲームでは、他の実施例によると、１以上のユーザがフィルムシーケンス、ビデオクリップなどに関する質問に回答するためのマルチメディアプレゼンテーション生成装置が利用可能である。より多くの可能な代替がまた考えられる。
【００９８】
本発明のさらなる他の実施例によると、“次の推理（ｇｕｅｓｓ  ｎｅｘｔ）”などのゲームが利用可能であり、ユーザは写真などの次のコンテンツアイテムを推測するよう求められる。プレゼンテーションにおけるコンテンツアイテムの順序は、メタデータなどのコンテンツ関連データに基づきマルチメディアプレゼンテーション生成装置によって決定することが可能である。写真は、誰が写真にいるか、又は写真の撮影日時若しくは場所によってソートされてもよい。ユーザの目標は、このプリケーションにおいて写真の実際の順序を推測することである。
【００９９】
以下に注目されるであろう。
【０１００】
“有する”は、他の要素、ステップ、ユニットを排除するものでない。
【０１０１】
“ある”は、各アイテムが複数あることを排除するものでない。
【０１０２】
単一のユニットが、請求項に記載される複数のユニットの機能を実現するかもしれない。
【０１０３】
請求項の参照符号（含められるべき）は、その範囲を限定するものとして解釈されるべきでない。
【０１０４】
本発明によるマルチメディアプレゼンテーション生成方法、マルチメディアプレゼンテーション生成装置及びコンピュータプログラムプロダクトは、以下の一般的な効果を有する。
【０１０５】
本発明は、マルチメディアプレゼンテーションが提示されるとき、ユーザがより魅力的な体感を受け付けるように、ユーザがマルチメディアプレゼンテーションをインタラクティブに生成することを可能にするという効果を有する。
【０１０６】
要約すると、本発明は以下に関する。
【０１０７】
本発明は、パーソナルメディアコンテンツを提示するとき、ユーザにより魅力的な体感を生じさせるため、パーソナルメディアコンテンツと付加的なコンテンツを合成することを可能にする。従って、本発明は、第１メディアファイルのユーザ選択を取得し（ステップ２０２）、メディアファイルソースのユーザ選択を取得し（ステップ２０８）、第１メディアファイルのコンテンツ関連データとメディアファイルソースからの少なくとも１つの第２メディアファイルのコンテンツ関連データとをマッチングし（ステップ２１４）、少なくとも第１メディアファイルのコンテンツ関連データに関する少なくとも１つのユーザ問い合わせを生成し（ステップ２１６）、第１メディアファイルと少なくとも１つの第２メディアファイルとに基づき、少なくとも１つの生成されたユーザ問い合わせを有するマルチメディアプレゼンテーションを生成する（ステップ２１８）を有するマルチメディアプレゼンテーション生成方法及び装置に関する。
【図面の簡単な説明】
【０１０８】
【図１】図１は、外部ユニットに接続された本発明の一実施例によるマルチメディアプレゼンテーション生成装置を有するマルチメディアプレゼンテーションシステムを示す。
【図２】図２は、本発明の一実施例によるマルチメディアプレゼンテーション生成方法のフローチャートを提供する。
【図３】図３は、本発明によるコンピュータプログラムプロダクトの概略図を提供する。
【図１】
2008529337.tif 000004
【図２】
2008529337.tif 000005
【図３】
2008529337.tif 000006
【国際調査報告】
2008529337.tif 000007
2008529337.tif 000008
2008529337.tif 000009